(57)【要約】【課題】整流路内、特に流下方向変更部での球詰まりを防止することができる遊技機を提供する。【解決手段】遊技球の流下方向をフレーム部材３１の前面に沿った左右方向から、フレーム部材３１の前後方向へと変更する流下方向変更部を有する第２整流路５２を備えた変更流路部材５１を、第２整流路５２よりも上流側となる第１整流路４４を備えた供給皿７よりも強度の高い合成樹脂により成形した。また、変更流路部材５１を供給皿７に対して着脱可能とした。したがって、整流路４１の流下方向変更部が変形しにくく、ひいては当該変形に起因した球詰まりも発生しにくいパチンコ機１とすることができるし、たとえ変更流路部材５１に変形が生じたとしても、変更流路部材５１のみを交換することで容易に対応することができる。【選択図】図５
2015119857.tif 000002
【特許請求の範囲】
【請求項１】
遊技機本体を支持する機枠の前面側に、前扉が片開き可能に備えられており、
前記前扉の前面側に、払出手段により払い出された遊技球を貯留可能な受け皿部を有する供給機構が設けられている一方、前記前扉の後面側に、遊技球を発射するための発射手段が設けられており、さらに、前記供給機構から前記発射手段にわたり、前記受け皿部内の遊技球を前記発射手段へ供給するための合成樹脂製の整流路が設けられた遊技機であって、
前記整流路に、左右方向へ遊技球を流下させる第１流路部と、前後方向へ遊技球を流下させる第３流路部と、前記第１流路部と前記第３流路部とを繋ぐ流路部であり、遊技球の流下方向を左右方向と前後方向とで変更させる流下方向変更部を有する第２流路部とが設けられているとともに、
前記第２流路部が、前記第１流路部と前記第３流路部との少なくとも何れか一方よりも強度の高い合成樹脂で別体として成形されており、前記第１流路部と前記第３流路部との少なくとも何れか一方に対して着脱可能に取り付けられていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、遊技領域内へ打ち込む遊技球を貯留可能な供給皿と、遊技球を遊技領域内へむけて発射するための発射装置とが設けられているとともに、供給皿内の遊技球を発射装置へ供給するための整流路が設けられている（たとえば特許文献１）。
【先行技術文献】
【特許文献】
【０００３】
【特許文献１】特開２００８−９３００４号公報
【発明の概要】
【発明が解決しようとする課題】
【０００４】
上述したような整流路内で生じる球詰まりは、従来から課題となっている。特に、整流路に遊技球の送り方向を変える平面視略Ｕ字状の流下方向変更部が設けられていると、その流下方向変更部における整流路の内面が、遊技球の球圧によって凹む等といったように変形しやすい。そして、当該変形に起因して球詰まりが発生するという問題があった。
【０００５】
そこで、本発明は、上記問題に鑑みなされたものであって、整流路内、特に流下方向変更部での球詰まりを防止することができる遊技機を提供しようとするものである。
【課題を解決するための手段】
【０００６】
上記目的を達成するために、本発明のうち請求項１に記載の発明は、遊技機本体を支持する機枠の前面側に、前扉が片開き可能に備えられており、前記前扉の前面側に、払出手段により払い出された遊技球を貯留可能な受け皿部を有する供給機構が設けられている一方、前記前扉の後面側に、遊技球を発射するための発射手段が設けられており、さらに、前記供給機構から前記発射手段にかけて、前記受け皿部内の遊技球を前記発射手段へ供給するための合成樹脂製の整流路が設けられた遊技機であって、前記整流路に、左右方向へ遊技球を流下させる第１流路部と、前後方向へ遊技球を流下させる第３流路部と、前記第１流路部と前記第３流路部とを繋ぐ流路部であり、遊技球の流下方向を左右方向と前後方向とで変更させる流下方向変更部を有する第２流路部とが設けられているとともに、前記第２流路部が、前記第１流路部と前記第３流路部との少なくとも何れか一方よりも強度の高い合成樹脂で別体として成形されており、前記第１流路部と前記第３流路部との少なくとも何れか一方に対して着脱可能に取り付けられていることを特徴とする。
なお、請求項１における「左右方向」とは上面視で僅かに前後へ傾斜するような方向も含むし、上面視で僅かに前後へ湾曲するような場合も含む。同様に「前後方向」についても、上面視で僅かに左右へ傾斜するような方向も含むし、上面視で僅かに左右へ湾曲するような場合も含む。
【発明の効果】
【０００７】
本発明によれば、遊技球の流下方向を左右方向と前後方向とで変更させる流下方向変更部を有する第２流路部を、第２流路部の上流側や下流側に隣接する第１流路部と第３流路部との少なくとも何れか一方よりも強度の高い合成樹脂で別体として成形した。したがって、整流路の流下方向変更部が変形しにくく、ひいては当該変形に起因した球詰まりも発生しにくい遊技機とすることができる。また、整流路全体を強度の高い合成樹脂で成形するわけではないため、製造コストの向上も抑制することができる。
さらに、第２流路部を第１流路部と第３流路部との少なくとも何れか一方に対して着脱可能に取り付けているため、たとえ第２流路部に変形が生じたとしても、第２流路部のみを交換することで容易に対応することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】前扉を後面側から示した説明図である。
【図５】図４中のＡ−Ａ線断面を示した説明図である。
【図６】フレーム部材の前面に、供給皿ユニットが取り付けられた状態を示した斜視説明図である。
【図７】フレーム部材の前面に、供給皿ユニットが取り付けられた状態を上方から示した説明図である。
【図８】供給皿ユニットを示した斜視説明図である。
【図９】供給皿を示した斜視説明図である。
【図１０】変更流路部材を示した斜視説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物７０等を備えたセンター部材２６が遊技盤２に設置されており、該センター部材２６の下方には、遊技球が入賞可能な始動入賞口１９が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。
【００１２】
一方、センター部材２６の右方にも遊技球が流下可能な右打ち用スペースＳＲが形成されている。また、該右打ち用スペースＳＲには、遊技球が通過可能なゲート部材２０と、動作可能な舌片（図示せず）を備えた始動入賞役物１７とが設けられている。該始動入賞役物１７は、舌片の作動に伴い、内蔵された入賞口（図示せず）への遊技球の入賞を可能とする開状態と、入賞口への遊技球の入賞を不可能とする閉状態との何れか一方の状態へ変化するようになっている。さらに、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開状態にある始動入賞役物１７へ入賞させたり、さらには開成した大入賞アタッカー１８ａ、１８ｂへ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる特別図柄表示部（図示せず）が設けられている。
【００１３】
また、機枠３の前面側であって上記遊技盤２の下方には、発射装置１０（図４に示す）へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部及び下部には、効果音や各種メッセージ等を報音する夫々一対のスピーカ１４、１４が設けられている。加えて、前扉４の上部や左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞アタッカー１８ａ、１８ｂの扉部材を所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１６】
また、大当たり状態終了後、特別図柄表示部での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。
【００１７】
（整流路の変形防止構造についての説明）
ここで、本発明の要部となる整流路４０の変形防止構造について、図４〜図１０にもとづき詳細に説明する。
図４は、前扉４を後面側から示した説明図である。図５は、図４中のＡ−Ａ線断面を示した説明図である。図６は、フレーム部材３１の前面に、供給皿ユニット３２が取り付けられた状態を示した斜視説明図である。図７は、フレーム部材３１の前面に、供給皿ユニット３２が取り付けられた状態を上方から示した説明図である。図８は、供給皿ユニット３２を示した斜視説明図である。図９は、供給皿７を示した斜視説明図である。図１０は、変更流路部材５１を示した斜視説明図である。
【００１８】
前扉４は、略四角形枠状に一体成形された合成樹脂製のフレーム部材３１を有しており、当該フレーム部材３１の下辺部３１ａの前面側には、供給皿ユニット３２やスピーカ１４を有するスピーカユニット３３、３３、押しボタン２５を有するボタンユニット３４等が取り付けられている。また、フレーム部材３１の下辺部３１ａの後面側には、発射装置１０等が取り付けられている。そして、供給皿ユニット３２から発射装置１０にかけて、供給皿７の受け皿部４２内の遊技球を発射装置１０へ供給するための整流路４１が形成されている。
【００１９】
整流路４１は、複数の部材を連結して構成されるもので、まず整流路４１の一部を有する供給皿ユニット３２について説明する。供給皿ユニット３２は、供給皿７と、供給皿７に対して着脱自在な変更流路部材５１とを備えてなる。供給皿７は、払出装置１２からフレーム部材３１に開設された払出口３５を介して払い出される遊技球を貯留するための受け皿部４２と、受け皿部４２から右側へ延設される流路部４３とを一体成形した第１の合成樹脂（たとえばＡＢＳ樹脂）製部材である。そして、流路部４３に、遊技球１個が通過可能な前後幅を有するとともに、右側へ向かって下降傾斜する第１整流路４４が設けられている。この第１整流路４４は、その左端部において受け皿部４２と連通している一方、右端部は、右側に開口した状態となっている。また、流路部４３の右端部の前面には、変更流路部材５１を取り付けるための嵌着突起４６が前方へ突設されている。
【００２０】
なお、４５は、第１整流路４４に隣接して設けられ、受け皿部４２内の遊技球を貯留皿８へ排出するための排出路である。また、４７（図７に示す）は、第１整流路４４の上面を覆う天井部であり、天井部４７よりも下流側においては、第１整流路４４の上下高さも、遊技球１個が通過可能な高さとなっており、遊技球を一列で流下させるようになっている。さらに、供給皿７には、供給皿７をフレーム部材３１の前面側に固定するための複数の固定部４８、４８・・が設けられている。
【００２１】
一方、変更流路部材５１は、第１の合成樹脂よりも強度の高い第２の合成樹脂（たとえばＰＯＭであり、ＪＩＳ  Ｋ７１８１に準拠した方法により測定した圧縮降伏応力（強度）がＡＢＳ樹脂よりも高い合成樹脂）により成形されてなるものであって、左側面及び後面に開口する第２整流路５２が設けられている。第２整流路５２は、第１整流路４４同様、遊技球を一列で流下可能とした流路であって、変更流路部材５１の左側面から後面へと略９０度湾曲するように設けられており、特に第２整流路５２の前面は、１／４円の円周となる滑らかな曲面Ｒとして形成されている。そして、該第２整流路は、フレーム部材３１の前面側で右側へ流下する遊技球を、フレーム部材３１の後面側へ導くために後側へ流下させるための整流路４１の流下方向変更部として機能する。また、変更流路部材５１には、嵌着突起４６に嵌合可能な嵌合部５３と、フレーム部材３４の前面側に固定するための固定部５４とが設けられている。
【００２２】
上述したような供給皿ユニット３２は、嵌着突起４６の前方から嵌合部５３を嵌合させて供給皿７と変更流路部材５１とを一体化することにより、第１整流路４４の下流端と第２整流路５２の上流端とが一連になった状態で組み立てられる。そこで、当該組み立て状態にある供給皿ユニット３２は、フレーム部材３１の前面側の所定位置、払出口３５が受け皿部４２の上方にのぞんでいるとともに、フレーム部材３１に開設された遊技球が通過可能な整流路孔３６と、変更流路部材５１の後面側の開口（第２整流路５２の下流端）とが連通するような位置に固定すればよい。すると、供給皿７の受け皿部４２から第１整流路４４、第２整流路５２、そして整流路孔３６へと繋がる一連の整流路４１が形成される。なお、フレーム部材３１の後面側には、第１の合成樹脂により成形されており、一端が整流路孔３６に、他端が発射装置１０に夫々連通する第３整流路３７を備えた後側流路部材３９が設置される。したがって、整流路４１は、整流路孔３６から更に第３整流路３７へと続いた後、発射装置１０へ至ることになる。また、３８は、第３整流路３７に設けられた糸切り機構である。
【００２３】
（本実施形態のパチンコ機による効果）
以上のような構成を有するパチンコ機１では、遊技球の流下方向をフレーム部材３１の前面に沿った左右方向から、フレーム部材３１の前後方向へと変更する流下方向変更部を有する第２整流路５２を備えた変更流路部材５１を、第２整流路５２よりも上流側となる第１整流路４４を備えた供給皿７よりも強度の高い合成樹脂により成形している。したがって、整流路４１の流下方向変更部が変形しにくく、ひいては当該変形に起因した球詰まりも発生しにくいパチンコ機１とすることができる。また、整流路４１全体を強度の高い合成樹脂で成形するわけではないため、製造コストの向上も抑制することができる。
【００２４】
さらに、変更流路部材５１を供給皿７に対して着脱可能としているため、たとえ変更流路部材５１に変形が生じたとしても、変更流路部材５１のみを交換することで容易に対応することができる。
さらに、流下方向変更部における整流路の前面の形状を曲面Ｒとしているため、遊技球をスムーズに流下させることができるし、整流路４１の流下方向変更部における変形をより確実に防止することができる。
【００２５】
（本発明の変更例について）
なお、本発明の遊技機に係る構成は、上記実施形態に何ら限定されるものではなく、遊技機全体の構成は勿論、整流路の構造に係る構成についても、本発明の趣旨を逸脱しない範囲で必要に応じて適宜変更可能である。
【００２６】
たとえば、上記実施形態では、変更流路部材を供給皿に対して着脱可能としているが、整流路のうち流下方向変更部よりも上流側若しくは下流側で隣り合う流路を有する部材に対して着脱可能であればよいのであって、必ずしも供給皿に対して着脱可能でなくともよい。すなわち、第１流路部は、供給皿に限定されない。したがって、たとえば供給皿に略直線状の流路を有する別途流路部材を取り付け、その下流側に変更流路部材を取り付ける場合には、変更流路部材を、供給皿ではなく流路部材に着脱可能に取り付けても何ら問題はない。
また、供給皿から発射装置までの遊技球の流下態様（つまり、整流路の配設態様）をどのようにするかについても適宜変更可能であり、フレーム機構の前面側で左側へ下降傾斜するような整流路を設けてもよいし、フレーム機構の前面側において左右方向で下降傾斜させる整流路を設けるにあたり、上面視で前後に傾くような整流路としたり、上面視で前後に湾曲するような整流路としても何ら問題はない。
【００２７】
さらに、流下方向変更部をどこに設けるかについても言うまでもなく適宜変更可能であり、流下方向変更部が複数ある場合、どの流下方向変更部を第２流路部として別体に成形するかについても適宜設計変更すればよい。たとえば、上記実施形態において、フレーム機構の後側の流下方向変更部を第２流路部として別体に成形してもよいし、前後両方の流下方向変更部を別体としてもよい。
さらにまた、第２の合成樹脂は、耐衝撃性及び耐摩耗性に優れた合成樹脂であるなら上記実施形態のＰＯＭに限定されることはないし、第１の合成樹脂も、耐衝撃性に優れた合成樹脂であるなら上記実施形態のＡＢＳ樹脂に限定されることはない。
またさらに、上記実施形態では、前扉のフレーム機構を、略四角形枠状に一体成形された合成樹脂製のフレーム部材としているが、複数の部材を組み付けたり、一部金属製の部材を組み付けたりしてフレーム機構を構成することは当然可能である。
【００２８】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技球払出手段、受け皿部、供給機構、発射手段、整流路、第１流路部〜第３流路部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００２９】
１・・パチンコ機（遊技機）、４・・前扉、７・・供給皿（供給機構）１０・・発射装置（発射手段）、１２・・払出装置（払出手段）、２８・・払出制御装置（払出手段）、３１・・フレーム部材、３１ａ・・下辺部、３２・・供給皿ユニット、３５・・払出口、３６・・整流路孔（整流路）、３７・・第３整流路、３９・・後側流路部材（第３流路部）、４１・・整流路、４２・・受け皿部、４３・・流路部（第１流路部）、４４・・第１整流路、４６・・嵌着突起、５１・・変更流路部材（第２流路部）、５２・・第２整流路、５３・・嵌合部、５４・・固定部。
【図１】
2015119857.tif 000003
【図２】
2015119857.tif 000004
【図３】
2015119857.tif 000005
【図４】
2015119857.tif 000006
【図５】
2015119857.tif 000007
【図６】
2015119857.tif 000008
【図７】
2015119857.tif 000009
【図８】
2015119857.tif 000010
【図９】
2015119857.tif 000011
【図１０】
2015119857.tif 000012